(57)【要約】【課題】ＯＳＤ機能等により別画面を表示する際に発生する光漏れを低減して、画像の品位を損なうおそれを低減する画像表示装置及び画像表示方法を提供する。【解決手段】カラーフィルタを含む表示パネル部に光を照射するバックライトのＲ−ＬＥＤ、Ｇ−ＬＥＤ、Ｂ−ＬＥＤそれぞれの発光率を独立に制御し、ＯＳＤ表示を表示する液晶表示装置（画像表示装置）において、ＯＳＤ表示に関する情報、例えば表示内容、表示位置等を取得し、取得した情報に基づく領域のＬＥＤの発光率を取得する。そして、取得した発光率に基づいて、各ＬＥＤから発光され、合成される光の色を白色に近づけるべくＯＳＤ表示に対応する領域のＬＥＤの発光率を制御する。【選択図】図１０
2010096857.tif 000002
【特許請求の範囲】
【請求項１】
カラーフィルタを含む表示部に光を照射する複数色の光源それぞれの発光率を独立に制御し、画像にＯＳＤ表示画像を合成した合成画像を前記表示部に表示する画像表示装置において、
前記合成画像に含まれるＯＳＤ表示画像に関する情報を取得する情報取得手段と、
該情報取得手段が取得した情報に基づく光源の発光率を取得する発光率取得手段と、
該発光率取得手段が取得した発光率に基づいて、前記光源から発光され、合成される光の色を白色に近づけるべく前記光源の発光率を制御する制御手段と
を備えることを特徴とする画像表示装置。
【請求項２】
前記制御手段は、
前記光源からの光を加法混色して白色に近づけるべく前記光源の発光率を制御するようにしてある
ことを特徴とする請求項１に記載の画像表示装置。
【請求項３】
前記制御手段は、
前記光源からの光を加法混色して白色になるよう前記光源の発光率を制御するようにしてある
ことを特徴とする請求項１に記載の画像表示装置。
【請求項４】
前記制御手段は、
前記発光率取得手段が取得した発光率が最大である光源の発光率を維持し、他の光源の発光率を制御するようにしてある
ことを特徴とする請求項２又は３に記載の画像表示装置。
【請求項５】
前記制御手段は、
前記光源全ての発光率を１００％に制御するようにしてある
ことを特徴とする請求項１に記載の画像表示装置。
【請求項６】
前記制御手段は、
前記情報取得手段が取得した情報に基づいて、前記発光率を変更するようにしてある
ことを特徴とする請求項２又は３に記載の画像表示装置。
【請求項７】
前記情報取得手段が取得した情報に基づいて、前記制御手段による制御を禁止する禁止手段
をさらに備えることを特徴とする請求項１から６の何れか一つに記載の画像表示装置。
【請求項８】
前記検出手段は、
前記ＯＳＤ表示画像の表示内容を検出するようにしてあり、
前記制御手段は、
前記検出手段が検出した表示内容に基づく速度で、合成される光の色を白色に近づけるようにしてある
ことを特徴とする請求項１から６の何れか一つに記載の画像表示装置。
【請求項９】
前記制御手段は、
前記光源により合成される色を段階的に白色に近づけるようにしてある
ことを特徴とする請求項８に記載の画像表示装置。
【請求項１０】
前記制御手段が前記光源の発光率を制御しているときに、前記検出手段による検出結果に基づいて、前記制御手段の制御を終了させるか否かを判定する判定手段と、
前記制御手段は、
前記判定手段が終了させると判定した場合、合成された光の色を、白色に近づけた速度より遅い速度で白色から遠ざけるべく前記光源の発光率を制御するようにしてある
ことを特徴とする請求項８又は９に記載の画像表示装置。
【請求項１１】
前記情報取得手段は、
前記ＯＳＤ表示画像の種類、表示位置、大きさ、形状、色及び輝度の何れかを取得するようにしてある
ことを特徴とする請求項１から１０の何れか一つに記載の画像表示装置。
【請求項１２】
前記ＯＳＤ表示画像は、
前記表示部の設定情報、電子番組情報又は視聴番組の録画に関する録画情報の何れかに関する画像である
ことを特徴とする請求項１から１１の何れか一つに記載の画像表示装置。
【請求項１３】
カラーフィルタを含む表示部に光を照射する複数色の光源それぞれの発光率を独立に制御し、画像にＯＳＤ表示画像を合成した合成画像を前記表示部に表示する画像表示方法において、
前記合成画像に含まれるＯＳＤ表示画像に関する情報を取得するステップと、
取得した情報に基づく光源の発光率を取得するステップと、
取得した前記発光率に基づいて、前記光源から発光され、合成される光の色を白色に近づけるべく前記光源の発光率を制御するステップと
を備えることを特徴とする画像表示方法。
【発明の詳細な説明】
【技術分野】
【０００１】
本発明は、表示部に光を照射する光源を制御し、表示部に画像を表示する画像表示装置及び画像表示方法に関する。
【背景技術】
【０００２】
液晶表示装置は、液晶パネルがバックライトから照射された光を透過又は遮断させることによって画像を表示する。液晶表示装置における色の再現性、コントラスト性能及び消費電力は、主に液晶パネル及びバックライトの性能又は制御によって左右される。近年では、バックライトを複数の領域に分割し、領域毎に発光率を制御する駆動方法（以下、エリアアクティブ駆動と言う）が提案されている。
【０００３】
エリアアクティブ駆動では、表示される画像の一部が低輝度である場合、その部分に対応するバックライトの領域の発光率を下げ、その発光率に応じて液晶パネルの透過率を設定する。このように、バックライトの発光率を領域毎に最適にすることができるため、バックライト全体の消費電力を低減することができる。また、領域毎に発光率を下げることにより、液晶表示における黒浮き（例えば、照明を消した際の画面上の黒がほのかに明るく映る状態）を軽減することができ、またコントラスト及び画質を向上することができる。
【０００４】
このエリアアクティブ駆動は、バックライトに、赤（Ｒ）、緑（Ｇ）及び青（Ｂ）の３色のＬＥＤ（Light-Emitting Diode）からなるＲＧＢ−ＬＥＤ光源を用いることも可能である。この場合、領域毎に発光率を高低させるのみではなく、領域内の３色のＬＥＤそれぞれを制御する必要がある。具体的には、ある領域に対応する表示画像が青色のみから構成されている場合、赤（Ｒ）のＬＥＤ（以下、Ｒ−ＬＥＤと言う）及び緑（Ｇ）のＬＥＤ（以下、Ｇ−ＬＥＤと言う）をオフ、青（Ｂ）のＬＥＤ（以下、Ｂ−ＬＥＤと言う）のみをオンとし、Ｂ−ＬＥＤの発光率に応じて液晶表示パネルの透過率を設定する。これにより、青色のみの色純度の高い画像が表示される。このように、領域内にあるＬＥＤの中から必要な各色のＬＥＤのみを制御することから、白色光源の場合よりもより消費電力削減効果を高くすることができる。さらに、各原色の色純度が高くなることで、表示画像の色域を高くすることができる。
【０００５】
上述のようなエリアアクティブ駆動において、特許文献１には、バックライトの局部的な輝度制御及び色特性制御ができる装置及び方法が記載されている。特許文献１に記載の装置及び方法では、液晶表示パネルを複数の領域に分割し、バックライトを各領域に光を照射する複数のＬＥＤにより構成している。そして、液晶表示パネルの各領域における階調度のピーク値に応じて、ＬＥＤの発光率を制御している。
【特許文献１】特開２００５−３３８８５７号公報
【発明の開示】
【発明が解決しようとする課題】
【０００６】
ところで、ＲＧＢ−ＬＥＤ光源を用いたエリアアクティブ駆動では、液晶パネルのカラーフィルタの特性によっては不具合が発生する場合がある。図１５は、液晶パネルのカラーフィルタの透過特性及びＲＧＢそれぞれのＬＥＤの波長の関係を示す模式図である。例えば、青（Ｂ）のカラーフィルタ（以下、Ｂ−ＣＦと言う）の特性は、Ｇ−ＬＥＤの波長と重なる部分が存在する。このため、Ｂ−ＣＦによりＢ−ＬＥＤの光のみを透過させたい場合であっても、Ｇ−ＬＥＤの光がＢ−ＣＦを透過し、余分なＬＥＤの光漏れが発生する。各ＬＥＤの発光率が同一で固定の場合には、Ｂ−ＣＦに対してＢ−ＬＥＤの光の透過量とＧ−ＬＥＤの光の透過量の比は常に一定であるため、設計時にＢ−ＣＦに対するＧ−ＬＥＤの漏れ量を織り込むことで光漏れは発生しない。
【０００７】
ところが、各ＬＥＤの発光率が動的に変化する場合、光漏れ量も動的に変化する。図１６は、発光率が変化することで生じる光漏れを説明するための模式図である。図１６では、画面に、青色の背景画像１００に緑色の矩形画像１０１が表示されている。また、画面は、エリアＡ及びエリアＢを含む複数の領域に分割されており、矩形画像１０１は、エリアＡ内に表示され、エリアＡの大きさよりひと回り小さい大きさとする。また、画面の各領域に対応するようバックライトも分割され、領域毎に発光制御される。
【０００８】
この場合において、エリアＢでは、青色の背景画像１００のみが表示されるため、Ｂ−ＬＥＤのみが発光される。このため、エリアＢではＢ−ＬＥＤ以外からの光がＢ−ＣＦを通過することはなく、光漏れは発生せず、純度の高い青色が表示される。一方、エリアＡでは、青色の背景画像１００と緑色の矩形画像１０１とが表示されるため、Ｂ−ＬＥＤ及びＧ−ＬＥＤが発光される。従って、Ｇ−ＬＥＤからの光がＢ−ＣＦを通過するようになるため、エリアＡでは光漏れが発生する。この光漏れ量が多い場合、青色の画像は、本来よりも著しく高い輝度で表示される。このため、画面上では、矩形画像１０１の輪郭に沿った輪郭部１０２及びその周囲は、緑色の光漏れにより、青色が明るくなる現象（周りにぼんやりと光の輪が見える現象。以下、ハロー現象と言う）が発生し、画像の品位を損ねることとなる。
【０００９】
特に、ＯＳＤ（On-Screen Display）機能によりメニュー等を表示する場合、視認性の観点から高輝度及び高彩度の画像と、低輝度及び低彩度の画像とが隣接して表示されることがある。また、ＯＳＤ表示のほとんどが矩形状の表示で構成されるため、ＯＳＤ機能による表示を行うことでハロー現象が発生しやすく、画像の品位低下が顕著となる。
【００１０】
本発明は斯かる事情に鑑みてなされたものであり、その目的とするところは、ＯＳＤ機能等により別画面を表示する際に発生する光漏れを低減して、画像の品位を損なうおそれを低減する画像表示装置及び画像表示方法を提供することにある。
【課題を解決するための手段】
【００１１】
本発明に係る画像表示装置は、カラーフィルタを含む表示部に光を照射する複数色の光源それぞれの発光率を独立に制御し、画像にＯＳＤ表示画像を合成した合成画像を前記表示部に表示する画像表示装置において、前記合成画像に含まれるＯＳＤ表示画像に関する情報を取得する情報取得手段と、該情報取得手段が取得した情報に基づく光源の発光率を取得する発光率取得手段と、該発光率取得手段が取得した発光率に基づいて、前記光源から発光され、合成される光の色を白色に近づけるべく前記光源の発光率を制御する制御手段とを備えることを特徴とする。
【００１２】
本発明に係る画像表示装置は、前記制御手段は、前記光源からの光を加法混色して白色に近づけるべく前記光源の発光率を制御するようにしてあることを特徴とする。
【００１３】
本発明に係る画像表示装置は、前記制御手段は、前記光源からの光を加法混色して白色になるよう前記光源の発光率を制御するようにしてあることを特徴とする。
【００１４】
本発明に係る画像表示装置は、前記制御手段は、前記発光率取得手段が取得した発光率が最大である光源の発光率を維持し、他の光源の発光率を制御するようにしてあることを特徴とする。
【００１５】
本発明に係る画像表示装置は、前記制御手段は、前記光源全ての発光率を１００％に制御するようにしてあることを特徴とする。
【００１６】
本発明に係る画像表示装置は、前記制御手段は、前記情報取得手段が取得した情報に基づいて、前記発光率を変更するようにしてあることを特徴とする。
【００１７】
本発明に係る画像表示装置は、前記情報取得手段が取得した情報に基づいて、前記制御手段による制御を禁止する禁止手段をさらに備えることを特徴とする。
【００１８】
本発明に係る画像表示装置は、前記検出手段は、前記ＯＳＤ表示画像の表示内容を検出するようにしてあり、前記制御手段は、前記検出手段が検出した表示内容に基づく速度で、合成される光の色を白色に近づけるようにしてあることを特徴とする。
【００１９】
本発明に係る画像表示装置は、前記制御手段は、前記光源により合成される色を段階的に白色に近づけるようにしてあることを特徴とする。
【００２０】
本発明に係る画像表示装置は、前記制御手段が前記光源の発光率を制御しているときに、前記検出手段による検出結果に基づいて、前記制御手段の制御を終了させるか否かを判定する判定手段と、前記制御手段は、前記判定手段が終了させると判定した場合、合成された光の色を、白色に近づけた速度より遅い速度で白色から遠ざけるべく前記光源の発光率を制御するようにしてあることを特徴とする。
【００２１】
本発明に係る画像表示装置は、前記情報取得手段は、前記ＯＳＤ表示画像の種類、表示位置、大きさ、形状、色及び輝度の何れかを取得するようにしてあることを特徴とする。
【００２２】
本発明に係る画像表示装置は、前記ＯＳＤ表示画像は、前記表示部の設定情報、電子番組情報又は視聴番組の録画に関する録画情報の何れかに関する画像であることを特徴とする。
【００２３】
本発明に係る画像表示方法は、カラーフィルタを含む表示部に光を照射する複数色の光源それぞれの発光率を独立に制御し、画像にＯＳＤ表示画像を合成した合成画像を前記表示部に表示する画像表示方法において、前記合成画像に含まれるＯＳＤ表示画像に関する情報を取得するステップと、取得した情報に基づく光源の発光率を取得するステップと、取得した前記発光率に基づいて、前記光源から発光され、合成される光の色を白色に近づけるべく前記光源の発光率を制御するステップとを備えることを特徴とする。
【００２４】
本発明では、表示部に表示される合成画像に含まれるＯＳＤ表示画像に関する情報を取得し、取得した情報に基づく光源からの光が白色光に近づくよう光源それぞれを制御する。ＯＳＤ表示画像はＯＳＤ機能で表示されるメニュー画像等であり、ＯＳＤ表示画像が表示されることで副画像の周囲にハロー現象が発生する。このため、ＯＳＤ表示画像に対応する光源の光を白色光に近づけた場合、表示部は、表示色を保持するために透過率を低くする。この結果、光源からの不要な光が透過し、表示部にＯＳＤ表示画像が表示されることによるハロー現象の発生を抑制し、画像の品位を損なうおそれを低減することができる。
【００２５】
本発明では、赤（Red）、緑（Green）、青（Blue）の3色の光源を用いて、各色の光を等量で混ぜ合わせることで、白色とすることができる。
【００２６】
本発明では、光源の光を白色光にする、換言すれば光源を白色光源とすることで、ハロー現象をより確実に無くすことができる。
【００２７】
本発明では、発光率が最大の光源の発光率を維持するように制御することで、本来の色純度を低下させることなくハロー現象を無くすことができ、表示される画像の品位を損なうおそれを低減することができる。
【００２８】
本発明では、全ての発光率を１００％にして画面全体を、発光率が１００％の光源によって画像を表示することで、ＯＳＤ表示の品位を保つことができ、かつ、画面全体の色味を統一することができる。
【００２９】
本発明では、表示内容等、ＯＳＤ表示画像に関する情報に基づいて、光源の発光率を変更する。これにより、ＯＳＤ表示画像が、例えば画面の端に小さく表示される画像であるような場合に、発光率を大きく変更することで、視聴者に違和感を抱かせるおそれを低減できる。また、例えばＯＳＤ表示画像が表示部の画面全体を占めている場合、ＯＳＤ表示画像により発生したハロー現象が顕著になる可能性がある。このような場合に、光源の発光率を表示サイズによって変更することで、画像の品位の低下を抑制することができる。このように、ＯＳＤ表示画像に応じた色及び輝度で画面表示が可能となる。
【００３０】
本発明では、取得したＯＳＤ表示画像に関する情報によっては、発光率の制御を行わない。これにより、視聴者が気にならない場所にＯＳＤ表示画像が表示された場合等、不必要な制御を行うことで、本来の画像の品位を低下させるおそれを抑制できる。
【００３１】
本発明では、ＯＳＤ表示画像を検出した結果に基づく速度で白色に近づけることで、画像の内容に応じて色を変更することができる。例えば、ＯＳＤ表示画像とその周囲の画像との色のバランスが、ハロー現象が気にならない程度であれば、ゆっくり白色に近づけることで、表示部に表示された画像を視聴している視聴者に、色が変化したことの違和感を抱かせないようにすることができる。また、ＯＳＤ表示画像とその周囲の画像との色のバランスが、ハロー現象が目立つような場合、素早く白色に近づけることで、ハロー現象を即座に低減することができ、画像の品位を損なわないようにできる。
【００３２】
本発明では、合成された光の色を段階的に白色に近づけるようにすることで、視聴者に、色が変化したことの違和感を抱かせないようにすることができる。
【００３３】
本発明では、発光率の制御を終了させる際、白色にしたときよりも遅い速度で、合成された色を白色から遠ざけるように光源を制御する。これにより、色が急激に変化することで、視聴者に違和感を抱かせないようにすることができる。
【００３４】
本発明では、ＯＳＤ表示画像の種類、表示位置、大きさ、形状、色及び輝度の何れかに基づいた光源の発光率の制御が可能となる。
【００３５】
本発明では、設定情報、電子番組情報又は視聴番組の録画に関する録画情報等の画像、及び映像の品位を低下させないようにできる。
【発明の効果】
【００３６】
本発明では、表示部に表示される合成画像に含まれるＯＳＤ表示画像に関する情報を取得し、取得した情報に基づく光源からの光が白色光に近づくよう光源それぞれを制御する。ＯＳＤ表示画像はＯＳＤ機能で表示されるメニュー画像等であり、ＯＳＤ表示画像が表示されることで副画像の周囲にハロー現象が発生する。このため、ＯＳＤ表示画像に対応する光源の光を白色光に近づけた場合、表示部は、表示色を保持するために透過率を低くする。この結果、光源からの不要な光が透過し、表示部にＯＳＤ表示画像が表示されることによるハロー現象の発生を抑制し、画像の品位を損なうおそれを低減することができる。
【発明を実施するための最良の形態】
【００３７】
以下、本発明の好適な実施形態について図面を参照して説明する。本実施形態に係る液晶表示装置は、本発明の画像表示装置であって、外部から入力したＲＧＢ映像信号に基づいて映像表示する。ＲＧＢ映像信号は、テレビジョン電波により受信したものであってもよいし、ＤＶＤ（Digital Versatile Disc）等の記録媒体から読み取ったものであってもよいし、ネットワークを介して入力されるものであってもよい。
【００３８】
（実施形態１）
図１は、本実施形態に係る液晶表示装置の構成を示すブロック図である。
【００３９】
液晶表示装置は、制御部１、映像処理部２、エリアアクティブ処理部３、表示パネル部１０及びバックライト１１を駆動する駆動部４を備えている。表示パネル部１０は、背面側にバックライト１１が配設されており、入力されたＲＧＢ映像信号に基づく映像表示する表示部を正面側に備えている。表示パネル部１０は、画面表示解像度に応じた画素数を有する表示素子を有している。表示素子は、必要な光（波長）のみを透過させ、その他の光（波長）を遮断するカラーフィルタが有しており、赤（Ｒ）、緑（Ｇ）、青（Ｂ）の３色の何れかの光を透過させる。光が表示素子を透過することにより表示部にカラー画像が表示される。なお、表示素子を透過する光の透過量は、表示素子の透過率によって決定される。透過率とは、液晶パネルがバックライト１１により照射された光が通過する割合である。
【００４０】
バックライト１１は、表示パネル部１０の背面側から光を照射する光源である。図２は、バックライト１１の構成を模式的に示す図である。バックライト１１は、矩形状の複数の領域１１０に全体が分割されており、各領域１１０にはＲ−ＬＥＤ１１ａ、Ｇ−ＬＥＤ１１ｂ及びＢ−ＬＥＤ１１ｃが設けられている。バックライト１１は、領域１１０毎に発光制御される。なお、図２では、領域１１０には、ＬＥＤ１１ａ，１１ｂ，１１ｃをそれぞれ１個ずつ設けられているが、複数設けてもよい。例えば、光量が必要な場合は同じ色のＬＥＤを２個以上設けるようにしてもよい。
【００４１】
映像処理部２は、入力されたＲＧＢ映像信号に対して各種信号処理を行う。例えば、映像処理部２は、ＲＧＢ映像信号から一定の時間間隔で抽出した画像データ（以下、フレームとも言う）の取得、画像データの階調度の取得、及び画像データのサイズ調整等を行い、取得した各種情報を制御部１及びエリアアクティブ処理部３へ出力する。また、映像処理部２は、ＲＧＢ信号を生成する処理、デジタル変換処理、色空間変換処理、スケーリング処理、色補正処理、同期検出処理、ガンマ補正処理、及びＯＳＤ表示処理等の信号処理を適宜実行する。
【００４２】
ＯＳＤ表示処理は、表示パネル部１０にＯＳＤ表示を行う処理である。ＯＳＤ表示には、液晶表示装置に関する状態及び設定を表示するメニュー表示、番組表表示、録画リスト表示、チャンネル登録表示、チャンネル表示、音量表示、通知表示、及び画質モード表示等がある。
【００４３】
図３は、メニュー表示の一例を示す図である。メニュー表示では、例えば、画面の上部にメインメニュー２０が表示され、その下にサブメニュー２１が表示される。メインメニュー２０には、複数の設定項目が表示され、サブメニュー２１には、メインメニュー２０で選択した設定項目の詳細な設定項目が表示される。サブメニュー２１で設定項目を選択した場合、図３（ａ）に示すように、サブメニュー２１の下にプルダウンメニュー２２を表示してもよいし、図３（ｂ）に示すように、別領域に設定画面２３を表示するようにしてもよい。
【００４４】
図４は、番組表表示の一例を示す図である。番組表表示では、液晶表示装置が受信したＥＰＧ（Electronic Program Guide）によって生成される番組表が表示される。番組表は、できるだけ多くの番組を表示することによって一覧性を高めることができ、図４（ａ）に示すように画面全体に表示される。図４（ａ）では、縦方向に６つの放送局の番組が時系列的に羅列された番組表２４が表示されている。この場合、文字表示が主であり、画像としてフラットな色、輝度の占める割合が多くなっている。図４（ｂ）では、番組表２４内に、視聴中の番組のサムネイル２５が表示されている。図４（ｃ）では、現在視聴中の番組以外の番組（所謂、裏番組）の番組表２６が、視聴中の映像の一部（図中では画面半分）に重なるように表示されている。なお、図３及び図４等のＯＳＤ表示では、文字表示が主であるため、画像としてはフラットな色及び輝度の占める割合が多くなっている。
【００４５】
図５は、録画リスト表示の一例を示す図である。録画リスト表示では、液晶表示装置が番組録画機能を有している場合、又は録画機能を有する周辺機器の情報を表示する場合に、録画した内容のリストが表示される。図５（ａ）では、短冊上の表示領域に録画日時及びタイトル等が表示された録画リスト２７が表示されている。図５（ｂ）では、録画リスト２７内に、録画内容のサムネイル２８が表示されている。図５（ｂ）に示すように、録画内容の概要を表示することで、番組の内容をより直感的に把握できる。
【００４６】
図６は、チャンネル登録表示の一例を示す図である。チャンネル登録表示では、多くのチャンネルを受信する液晶表示装置においてよく見るチャンネルを登録した場合、登録内容のリストが表示される。図６では、リモコン等のボタン番号と、そのボタンに登録されたチャンネルとが対応付けられた登録リスト２９が表示されている。
【００４７】
図７（ａ）はチャンネル表示、（ｂ）は音量表示、（ｃ）は通知表示、（ｄ）は画質モード表示の一例を示す図である。チャンネル表示では、現在視聴しているチャンネル番号３０が表示される。音量表示では、視聴者がリモコン等で音量調整した場合に音量バー３１が表示される。通知表示では、液晶表示装置の状態、視聴予約の時間、情報のダウンロードの開始及び警告等を通知する通知画像３２が画面の中央に表示される。画質モード表示では、視聴者が映像の画質モードをリモコン等で変更した場合にモード通知画像３３が表示される。画質モードは、ダイナミックモード、標準モード及び映画モード等があり、モード毎に映像の輝度又はコントラスト等を所定の値に設定される。
【００４８】
エリアアクティブ処理部３は、映像処理部２から入力される画像データの階調度、及び制御部１から入力される後述のミックス率に基づいて、領域１１０に対応する１フレームの各色成分のピーク値に合わせて、各ＬＥＤ１１ａ，１１ｂ，１１ｃの最適な発光率を決定する。例えば、エリアアクティブ処理部３は、１フレームのＲＧＢ各色成分のピーク値が、ダイナミックレンジに比べ、赤（Ｒ）成分が１０％、緑（Ｇ）成分が６０％、青（Ｂ）成分が３０％である場合、各ＬＥＤ１１ａ，１１ｂ，１１ｃの発光率も１０％、６０％、３０％とする。エリアアクティブ処理部３は、この発光率を、フレーム単位で全ての領域１１０について決定する。
【００４９】
また、エリアアクティブ処理部３は、画像データの階調度及び決定した発光率に基づいて、表示パネル部１０の表示素子の透過率を制御する透過率制御値（電圧値）をフレーム毎に決定する。エリアアクティブ処理部３は、決定した発光率及び透過率制御値を制御部１及び駆動部４に出力する。
【００５０】
なお、表示パネル部１０の表示素子からの光の透過量は、表示素子に対応する色のＬＥＤの発光率に、その表示素子の透過率を乗じたものである。画像データの階調度に基づいて、発光率及び透過率制御値を決定することで、例えば、表示パネル部１０のある領域内の画像データの階調度が小さい場合、その領域に対応する領域１１０内のＬＥＤの発光率を小さくすることにより、バックライト１１の消費電力を低減することができる。
【００５１】
駆動部４は、パネル駆動部４１及びバックライト駆動部４２を有している。パネル駆動部４１は、表示パネル部１０の駆動回路であって、エリアアクティブ処理部３から入力される透過率制御値により、表示パネル部１０の表示素子の透過率を制御する。パネル駆動部４１から出力された透過率制御値は、表示パネル部１０の各表示素子内の電極にチャージされる。そして、表示素子に係る液晶の傾き量がチャージされた電圧に応じて変化し、その結果表示素子の透過率が制御される。バックライト駆動部４２は、バックライト１１の駆動回路であって、エリアアクティブ処理部３から入力される発光率に基づき、バックライト１１の各ＬＥＤ１１ａ，１１ｂ，１１ｃの発光率を制御する。バックライト駆動部４２は、領域１１０毎に各ＬＥＤ１１ａ，１１ｂ，１１ｃを制御する。
【００５２】
制御部１は、ＣＰＵ（Central Processing Unit）及びＲＯＭ（Read Only Memory）等からなるマイクロコンピュータであって、液晶表示装置が備える各部それぞれを制御することで、液晶表示装置全体の制御を行う。例えば、制御部１は、エリアアクティブ処理部３から透過率制御値、及び各ＬＥＤ１１ａ，１１ｂ，１１ｃの発光率等を取得する。制御部１は、映像処理部２及びエリアアクティブ処理部３から取得した情報に基づいて、各領域１１０にハロー現象が発生している可能性を判定する。ハロー現象は、ＯＳＤ表示がなされたときに発生する可能性があるため、制御部１は、ＯＳＤ表示を検出した場合にはハロー現象が発生したと判定する。そして、制御部１は、ハロー現象を低減するために、ミックス率を変更する。
【００５３】
次に、ＯＳＤ表示なされることでハロー現象が発生することについて説明する。
【００５４】
図８及び図９は、ＯＳＤ表示に起因して発生するハロー現象を模式的に示す図である。ハロー現象は、上述のように画像の輪郭及びその周囲にぼんやりと光の輪が見える現象であって、ＬＥＤからの光が対応していない色のフィルタを通過する光漏れにより発生する。図８は、チャンネル表示の画面を示しており、画面右上には、緑（Ｇ）を含むチャンネル番号３０が表示されている。そして、チャンネル番号３０周辺の映像表示に青（Ｂ）が含まれている場合、チャンネル番号３０の周辺の領域３０ＡではＧ−ＬＥＤ１１ｂの発光がＢ−ＣＦを透過した光漏れが発生する。これにより、領域３０Ａでは、本来の青（Ｂ）よりも色純度が低くなり、チャンネル番号３０の周辺に明るい枠があるように見えるハロー現象が発生する。
【００５５】
図９は、メニュー表示の画面を示しており、画面の左上部分には、映像表示内の黄色の月画像３４に重畳して青（Ｂ）のプルダウンメニュー２２が表示され、プルダウンメニュー２２内に緑（Ｇ）のアイコン３５が表示されている。黄色には高輝度の緑（Ｇ）を含んでいるため、月画像３４に対応する領域のＧ−ＬＥＤ１１ｂの発光率は高くなっている。これにより、プルダウンメニュー２２内のアイコン３５の周辺部３５Ａ、及びプルダウンメニュー２２と月画像３４との境界部２２Ａでは、月画像３４及ぶアイコン３５の緑（Ｇ）の影響を受けて本来の青よりも明るくなり、ハロー現象が発生する。
【００５６】
以上のように、ＯＳＤ表示がなされた場合には、制御部１は、ハロー現象が発生したと判定する。なお、後に詳述するが、制御部１は、ＯＳＤ表示の画面に対する大きさによってハロー現象を低減する処理を行わない場合がある。
【００５７】
次に、発生したハロー現象を低減させる方法について説明する。
【００５８】
制御部１は、各ＬＥＤ１１ａ，１１ｂ，１１ｃの発光率のバランス及び表示素子の透過率のバランスによりこのハロー現象の発生を検出する。具体的に説明するために、前提として、図１６のエリアＡにおいて、各ＬＥＤ１１ａ，１１ｂ，１１ｃの発光率を、０％、８０％、２０％とし、エリアＢでは、０％、０％、２０％とし、表示素子の透過率を１００％とする。また、Ｇ−ＬＥＤ１１ｂからの青（Ｂ）に対する光漏れをＧ−ＬＥＤ１１ｂの１０％とし、光漏れの許容値は、青（Ｂ）の透過量に対して２０％未満とする。光漏れの許容値とは、画像の品位を損なうおそれのある光漏れ量の限界値である。
【００５９】
この場合において、Ｇ−ＬＥＤ１１ｂの発光率は８０％であるので、光漏れ量は８％となる。また、Ｂ−ＬＥＤ１１ｃの発光率は２０％であるので、光漏れ量の許容値は４％となる。Ｇ−ＬＥＤ１１ｂの光漏れ量は８％であることから、Ｂ−ＬＥＤ１１ｃの光漏れ量の許容値より大きくなる。即ち、輪郭部１０２及びその周囲では、Ｂ−ＬＥＤ１１ｃからの光に、Ｇ−ＬＥＤ１１ｂからの光が混色するため、輪郭部１０２及びその周囲の青色の画像は、本来よりも明るい青として表示される。この光漏れ量によってハロー現象の強度が決定される。
【００６０】
エリアアクティブ処理部３は、ハロー現象を低減させる場合、ＬＥＤ１１ａ，１１ｂ，１１ｃの発光の合成を加法混色により白色光に近づける。白色光は各色のＬＥＤの発光率が等しいため、白色光に近づけるために、エリアアクティブ処理部３は、各ＬＥＤ１１ａ，１１ｂ，１１ｃの発光率が同じになるように制御する。本実施形態では、発光率が最大のＬＥＤは制御せず、他のＬＥＤの発光率を最大の発光率に近づける制御を行う。例えば、Ｇ−ＬＥＤ１１ｂの発光率が最大である場合、エリアアクティブ処理部３は、Ｒ−ＬＥＤ１１ａ及びＢ−ＬＥＤ１１ｃの発光率をＧ−ＬＥＤ１１ｂの発光率に近づける。
【００６１】
制御部１は、ＬＥＤ１１ａ，１１ｂ，１１ｃの発光の合成を白色光に近づけるためにミックス率を決定する。ミックス率とは、各ＬＥＤ１１ａ，１１ｂ，１１ｃの発光率を変更する際の比率である。例えば、各ＬＥＤ１１ａ，１１ｂ，１１ｃの発光率が、エリアアクティブ処理部３により決定された、画像データの各色成分に最適な発光率である場合、ミックス率は０である。換言すれば、ミックス率が０の場合、制御部１は、ＬＥＤ１１ａ，１１ｂ，１１ｃの発光率の制御は行わない。また、ＬＥＤ１１ａ，１１ｂ，１１ｃの発光率を最大の発光率に合わせた場合、即ち、バックライト１１を白色光源とする場合、ミックス率は１（１００％）である。
【００６２】
ミックス率は、所定の関数によって決定することができる。例えば、ミックス率「０」の各発光率をｒ１、ｇ１、ｂ１、白色光源の各発光率をｒ２、ｇ２、ｂ２、ミックス率をｍ（０≦ｍ≦１）とした場合、ミックス率による発光率ｒｍ、ｇｍ、ｂｍは、それぞれ以下のようになる。
ｒｍ＝（ｒ２−ｒ１）×ｍ＋ｒ１
ｇｍ＝（ｇ２−ｇ１）×ｍ＋ｇ１
ｂｍ＝（ｂ２−ｂ１）×ｍ＋ｂ１
【００６３】
図１０は、異なるミックス率における各色のＬＥＤの発光率を示す模式図であり、（ａ）はミックス率が０、（ｂ）はミックス率が１、（ｃ）はミックス率が０．４の場合を示す。ミックス率が０の場合、各ＬＥＤ１１ａ，１１ｂ，１１ｃの発光率は、１０％、６０％、３０％となる（図１０（ａ）参照）。ミックス率が１の場合、各ＬＥＤ１１ａ，１１ｂ，１１ｃの発光率は、全て６０％となる（図１０（ｂ）参照）。ミックス率が０．４の場合、各ＬＥＤ１１ａ，１１ｂ，１１ｃの発光率は、３０％、６０％、４２％となる（図１０（ｃ）参照）。
【００６４】
制御部１が、映像処理部２の検出結果に応じて最適なミックス率を決定することで、ある色のＬＥＤの光漏れ量が、他の色のＬＥＤの光漏れ量の許容値以下となり、ハロー現象を低減することができる。例えば、上述した図１６を用いた例の場合、ミックス率を３３％に決定する。
【００６５】
図１１は、ＬＥＤ１１ａ，１１ｂ，１１ｃの発光率をミックス率３３％で変更する場合の発光率を示す模式図であり、（ａ）は変更前、（ｂ）は変更後の場合を示す。エリアＡの場合、ＬＥＤ１１ａ，１１ｂ，１１ｃの発光率は、２６％、８０％、４０％となり、エリアＢの場合、６％、６％、２０％となる。この場合、発光率が８０％のＧ−ＬＥＤ１１ｂの光漏れ量は８％となる。また、発光率が４０％のＢ−ＬＥＤ１１ｃの光漏れ量は４％となり、その許容値は２倍の８％となる。Ｇ−ＬＥＤ１１ｂの光漏れ量は８％であることから、Ｂ−ＬＥＤ１１ｃの光漏れ量の許容値以下となる。その結果、輪郭部１０２及びその周囲に発生したハロー現象は軽減される。
【００６６】
制御部１は、決定したミックス率に基づいて、ハロー現象が発生している領域１１０、即ち、ＯＳＤ表示に対応する領域１１０に含まれるＬＥＤ１１ａ，１１ｂ，１１ｃのみを制御するようにしてもよい。ＬＥＤ１１ａ，１１ｂ，１１ｃの発光率の変更によっては映像表示の色味又は輝度等が変化する場合があり、図３（ａ）に示すような映像調整用のＯＳＤ表示を行ったとこには、画質の調整上不都合が発生する可能性がある。このため、ＯＳＤ表示に対応するＬＥＤ１１ａ，１１ｂ，１１ｃの発光率のみを変更することで、ＯＳＤ表示の消去時に画面全体の映像が変化しないようにすることができる。
【００６７】
また、制御部１は、全領域１１０のＬＥＤ１１ａ，１１ｂ，１１ｃの発光率を制御するようにしてもよい。この場合、ＬＥＤ１１ａ，１１ｂ，１１ｃの発光率を領域１１０毎で変更する場合と異なり、同じ色を表示するにもかかわらず、ハロー現象に対応する部分とそうでない部分との色純度に違いが見られるといった視聴者の違和感を解消することができる。また、全領域１１０のＬＥＤ１１ａ，１１ｂ，１１ｃの発光率を制御することで処理を単純にできるため、回路規模の大きさを小さくすることができる。
【００６８】
また、制御部１は、決定したミックス率の変更を行う場合、ＬＥＤ１１ａ，１１ｂ，１１ｃの発光を連続的に白色光に近づけるようにしてもよいし、段階的に近づけるようにしてもよい。例えば、連続的に変化させることで、スムーズに色純度を変更することができ、また、視聴者が気付かないタイミングで段階的に変化させることで、違和感なく色純度を変更することができる。また、制御部１は、白色光に近づける速度を適宜変更するようにしてもよい。例えば、ハロー現象の発生位置又は発生サイズによっては、視聴者はハロー現象を気にならない場合がある。この場合、ゆっくり白色に近づけることで、視聴者に、表示パネル部１０に表示された画像の色が変化したことを気付かせないようにすることができる。また、より早く白色に近づけることでハロー現象を無くす場合、画像の品位を損なわない画像を表示することができる。
【００６９】
図８で説明した、チャンネル番号３０の周辺領域３０Ａにハロー現象が発生した場合、上述のようにＬＥＤ１１ａ，１１ｂ，１１ｃのミックス率を変更することでハロー現象を低減することができる。具体的には、バックライト１１のＧ−ＬＥＤ１１ｂ及びＢ−ＬＥＤ１１ｃの発光率の差を少なくする。これにより、ハロー現象を低減することができる。なお、ミックス率を１にした場合、Ｇ−ＬＥＤ１１ｂ及びＢ−ＬＥＤ１１ｃの発光率は同じになるため、ハロー現象をなくすことができる。
【００７０】
また、制御部１は、画面に対するＯＳＤ表示の大きさ及び表示内容によって、上述したハロー現象の低減処理を行うか否かを決定する。ＯＳＤ表示は、フラットな輝度の表示が大半を占めることから、ＯＳＤ表示内に発生するハロー現象は、映像表示に発生するハロー現象よりも顕著になる可能性が高い。そこで、制御部１は、図４（ａ）、（ｂ）及び図５に示すように、ＯＳＤ表示が画面全体を占める場合にのみミックス率を変更し、ハロー現象を低減させる。これらのＯＳＤ表示は、情報を表示することが目的であるので、色純度を上げることに必要性は少なく、ユーザーが操作しない場合は、画面が静止している場合が多い。このため、ハロー現象が発生した際、ユーザーの目に付き易いことから表示品位の劣化は大きい可能性がある。そこで、制御部１は、ミックス率を１に上げ、バックライト１１の各光源の発光率を同じにし、ハロー現象が発生しないようにする。これらのＯＳＤ表示は、映像表示から瞬時に切り替えられるので、ミックス率の変更も略同時に行ってもよいし、徐々に行ってもよい。なお、図４（ｂ）及び図５（ｂ）では、映像表示を縮小したサムネイル２５，２８が表示されるが、映像表示の概要がわかればいいので、色の純度が問題となることはない。
【００７１】
制御部１は、図３、図４（ｃ）及び図６に示すように、ＯＳＤ表示が定常的に表示され、映像表示と混在している場合、ＯＳＤ表示によるハロー現象の発生の強度及び色純度の変化を勘案してミックス率を変更し、ハロー現象を低減させる。例えば、ＯＳＤ表示のハロー現象が許容できるミックス率をＡ、元のミックス率をＢとした場合に、制御部１は、設定するミックス率を（Ａ＋Ｂ）／２に変更する。これにより、ハロー現象をある程度低減しつつ、色純度の変化もある程度抑えることができる。
【００７２】
なお、ＯＳＤ表示の色及び輝度は略一定であるので、製品設計時に発生するハロー現象の強度を推定することが可能である。そこで、ＯＳＤ表示毎に上述のようにミックス率を設定することが可能である。また、図３（ａ）に示すプルダウンメニュー２２は、映像のコントラスト、色あい及び輝度等の画質調整を映像表示を見ながら行うものであり、画質に影響が現れるような変更はすべきではないため、ミックス率の変更は行わないことが好ましい。
【００７３】
以上のように構成される液晶表示装置において、入力されるＲＧＢ映像信号を画面表示し、ＯＳＤ表示を行う際の動作について説明する。図１２は、液晶表示装置において実行される処理を示すフローチャートである。
【００７４】
映像処理部２は、外部から入力されるＲＧＢ映像信号を取得し（Ｓ１）、ＲＧＢ映像信号の１フレームにおける発光率及び透過率制御値を取得する（Ｓ２）。映像処理部２は、エリアアクティブ処理部３により決定された発光率及び透過率制御値を取得するか、若しくは、映像処理部２内部で推定する。次に、映像処理部２は、ＯＳＤ表示を行うか否かを判定する（Ｓ３）。映像処理部２は、視聴者による表示操作等による割り込みを検出して、ＯＳＤ表示処理を行う。
【００７５】
ＯＳＤ表示を行わない場合（Ｓ３:ＮＯ）、映像処理部２は、ハロー現象は発生しないと判定し、本処理は終了する。ＯＳＤ表示を行う場合（Ｓ３：ＹＥＳ）、ＯＳＤ表示の内容を取得する（Ｓ４）。ＯＳＤ表示の内容とは、例えば図３から図６で説明した何れかである。映像処理部２は、図４（ａ）又は（ｂ）等に示すように、ＯＳＤ表示を画面全体に表示するか否かを判定する（Ｓ５）。ＯＳＤ表示を画面全体に表示する場合（Ｓ５：ＹＥＳ）、制御部１は、ミックス率を１に決定し（Ｓ６）、決定したミックス率でＬＥＤ１１ａ，１１ｂ，１１ｃの発光率を制御する（Ｓ７）。これにより、ある色のＬＥＤの光漏れ量が、他の色のＬＥＤの光漏れ量の許容値以下となり、ハロー現象が低減する。このとき、制御部１は、ハロー現象が発生しているＯＳＤ表示に対応するＬＥＤ１１ａ，１１ｂ，１１ｃのみを制御するようにしてもよいし、全てのＬＥＤ１１ａ，１１ｂ，１１ｃを制御するようにしてもよい。その後、Ｓ８に処理が移る。
【００７６】
ＯＳＤ表示を画面全体に表示しない場合（Ｓ５：ＮＯ）、図３等に示すように、ＯＳＤ表示が定常的に表示され、映像表示と混在している場合、制御部１は、ＯＳＤ表示によるハロー現象の発生の強度及び色純度の変化を勘案してミックス率を決定する（Ｓ１０）。例えば、ＯＳＤ表示のハロー現象が許容できるミックス率をＡ、元のミックス率をＢとした場合に、制御部１は、設定するミックス率を（Ａ＋Ｂ）／２に変更する。これにより、ハロー現象をある程度低減しつつ、色純度の変化もある程度抑えることができる。その後、Ｓ７に処理が移る。
【００７７】
なお、Ｓ５において、ＯＳＤ表示を画面全体に表示しない場合、制御部１は、ミックス率を変更しないようにしてもよい。即ち、制御部１は、ＬＥＤ１１ａ，１１ｂ，１１ｃの発光率を制御しない。この場合、例えば視聴者が気にならない場所に、気にならない大きさのＯＳＤ表示画像が表示された場合に不必要な発光率の制御を行うことで、本来の画像の品位を低下させるおそれを抑制することができる。
【００７８】
次に、制御部１は、ＯＳＤ表示を終了するか否かを判定する（Ｓ８）。終了しない場合（Ｓ８：ＮＯ）、制御部１は、ＯＳＤ表示を終了するまでＳ７を繰り返す。ＯＳＤ表示を終了する場合（Ｓ８：ＹＥＳ）、制御部１は、Ｓ６又はＳ１０で決定したミックス率を元に戻す（Ｓ９）。ここで、ＯＳＤ表示がなされる前では、映像表示に発生したハロー現象を低減させるために映像表示に応じたミックス率が変更されており、制御部１は、ＯＳＤ表示がなされる前のミックス率に戻す。これにより、本来の色純度の映像表示となる。その後、本処理は終了する。
【００７９】
以上のように、本実施形態に係る液晶表示装置は、ＯＳＤ表示を検出し、ＯＳＤ表示がなされた場合にはハロー現象が発生したと判定し、ＬＥＤ１１ａ，１１ｂ，１１ｃの発光を白色光に近づける。これにより、バックライト１１からの光漏れ量を低減することができる。その結果、バックライト１１からの不要な光が透過し、表示パネル部１０に表示される画像の品位を損なうおそれを低減することができる。また、本実施形態では、ＯＳＤ表示の表示内容に適したミックス率に決定する。これにより、ハロー現象をある程度低減しつつ、色純度の変化もある程度抑えることができる。
【００８０】
（実施形態２）
次に、本発明に係る実施形態２について説明する。実施形態１では、ＬＥＤ１１ａ，１１ｂ，１１ｃの発光率を即座に変更しているが、本実施形態では、ＬＥＤ１１ａ，１１ｂ，１１ｃの発光率を変更する速度をＯＳＤ表示に応じて変更する。以下、その相違点についてのみ説明する。
【００８１】
図１３は、ＬＥＤ１１ａ，１１ｂ，１１ｃのミックス率及び経過時間の関係を模式的に示す図である。
【００８２】
図１３（ａ）は、通知表示（図７（ｃ）参照）におけるミックス率及び経過時間の関係を示している。通知表示では、視聴者の目の付きやすい位置に通知画像３２が表示されるため、ＬＥＤ１１ａ，１１ｂ，１１ｃの発光率を急激に変化させた場合、視聴者が映像表示の色味又は輝度等の変化に違和感を抱く可能性がある。そこで、図１３（ａ）に示すように、制御部１は、通知画像３２の表示開始後、ＬＥＤ１１ａ，１１ｂ，１１ｃのミックス率を決定したミックス率に徐々に近づけ、表示終了後、ミックス率を徐々に戻す。これにより、視聴者に違和感を抱かせることなくハロー現象を軽減できる。
【００８３】
図１３（ｂ）は、チャンネル表示（図７（ａ）参照）におけるミックス率及び経過時間の関係を示している。チャンネル表示では、画面の端にチャンネル番号３０が表示されるが、選局と同時に映像表示も切替わる。このため、チャンネル番号３０の表示と同時にＬＥＤ１１ａ，１１ｂ，１１ｃの発光を変化させても、視聴者が違和感を抱くことはない。そこで、図１３（ｂ）に示すように、制御部１は、チャンネル番号３０の表示と同時に決定したミックス率でＬＥＤ１１ａ，１１ｂ，１１ｃを発光し、表示終了後、ミックス率を徐々に戻す。これにより、視聴者に違和感を抱かせることなくハロー現象を軽減できる。
【００８４】
次に、ＬＥＤ１１ａ，１１ｂ，１１ｃの発光を変更させる速度について説明する。
【００８５】
制御部１は、光漏れ量に基づいて、ハロー現象発生の強度を１０段階に分けて評価し、評価結果に基づく速度で、ＬＥＤ１１ａ，１１ｂ，１１ｃのミックス率を変化させる。ここで、ミックス率の変化とは、ＬＥＤ１１ａ，１１ｂ，１１ｃの発光を白色光に近づける場合と、白色光から遠ざける場合とを含む。また、白色光から遠ざける場合とは、あるミックス率でＬＥＤ１１ａ，１１ｂ，１１ｃのミックス率を制御し、ＯＳＤ表示が終了した後、ミックス率を０に戻して（近づけて）制御する場合をいう。制御部１は、ＯＳＤ表示がなく、ハロー現象発生がない場合をレベル０、例えば光漏れ量の許容値の２倍の光漏れ量がある場合をレベル１０とし、光漏れ量に応じたレベルを決定する。
【００８６】
ＬＥＤ１１ａ，１１ｂ，１１ｃの発光を白色光に近づける場合、制御部１は、レベルを１段階遷移させるのに約６０ｍｓｅｃの時間を費やす。例えば、ハロー現象発生の可能性がレベル４の場合、ハロー現象を低減させるために決定したミックス率の制御に移行するため、制御部１は、２４０（６０×４）ｍｓｅｃをかけて、ＬＥＤ１１ａ，１１ｂ，１１ｃの発光を白色光に近づける。
【００８７】
ＬＥＤ１１ａ，１１ｂ，１１ｃの発光を白色光から遠ざける場合、制御部１は、レベルを１段階遷移させるのに約２５０ｍｓｅｃの時間を費やす。例えば、ハロー現象発生の可能性がレベル４と評価した後、ハロー現象がなくなった（レベル０となった）場合、制御部１は、ミックス率を０とした制御に移行するため、１０００（２５０×４）ｍｓｅｃをかけて、ＬＥＤ１１ａ，１１ｂ，１１ｃの発光を白色光から遠ざける。
【００８８】
このように、ＬＥＤ１１ａ，１１ｂ，１１ｃの発光を白色光に近づける速度を短時間で実行することで、ハロー現象発生を視聴者に気付かせないよう、画像表示を行うことができる。また、白色光から遠ざける場合は、近づける場合よりも遅い速度にすることより、画像の色が急激に変化して、視聴者が違和感を抱くおそれを抑制することができる。
【００８９】
以上説明したように、本実施形態に係る液晶表示装置は、ＯＳＤ表示に起因してハロー現象が発生した場合、ＯＳＤ表示の内容に基づく速度でＬＥＤ１１ａ，１１ｂ，１１ｃの発光を白色光に近づけ、ハロー現象を低減させる。また、液晶表示装置は、ハロー現象がなくなった（低減した）場合、白色光に近づけた速度よりも遅い速度でＬＥＤ１１ａ，１１ｂ，１１ｃの発光を白色光から遠ざける。
【００９０】
（実施形態３）
次に、本発明に係る実施形態３について説明する。実施形態１、２では、ＬＥＤ１１ａ，１１ｂ，１１ｃの発光率を、バックライト１１内の最大の発光率に合わせて変更しているが、本実施形態では、ＯＳＤ表示時にＬＥＤ１１ａ，１１ｂ，１１ｃの発光率を１００％にする点で相違する。以下、その相違点についてのみ説明する。
【００９１】
図１４は、ＬＥＤの発光率をミックス率１００％で変更する場合の発光率を示す模式図であり、（ａ）は変更前、（ｂ）は変更後の場合を示す。図１４では、例えばＥＰＧ表示等の全面ＯＳＤ表示画面の場合（図４（ａ）参照）、発光率が１０％、６０％、３０％のＬＥＤ１１ａ，１１ｂ，１１ｃを、全て発光率１００％としている。各ＬＥＤの発光率を１００％にすることによって、画面内に輝度の差を発生させることなく画面表示を行うことができる。
【００９２】
ＬＥＤ１１ａ，１１ｂ，１１ｃの発光率を全て１００％とした場合、従来のＣＣＦＬ(Cold Cathode Fluorescent Lamp)による輝度制御を行わない場合と同様の光源とすることができる。従来のＣＣＦＬでは、黒浮き及び色純度の低下等が発生する問題がある。しかしながら、ＯＳＤ表示を全面表示した場合には、明確にコントラストの高い文字、アイコン又は図形のみを表示する場合が一般的であり、黒浮きの微妙な劣化及び色純度の低下は、視聴者にとって気にならない可能性が高い。また、このような画面では情報伝達が主な目的であるため、画質についての確認評価は通常行わない。さらには、ＯＳＤ表示は、同一の色及び輝度が広い領域を占めることも多い。このため、視聴者には、黒浮き及び色純度の低下よりも、領域内に色及び輝度の差が出現する方が気になる可能性が高く、その結果、品位低下につながる。
【００９３】
したがって、ＯＳＤ表示時の品位を最も重要視する場合には、本実施形態のように光源の発光率を１００％にすることで、品位低下を抑制することができる。また、裏番組表示のように画面の半分程度をＯＳＤで占める場合には、ＯＳＤ表示部のみ１００％表示にしても良いし、画面全体について光源の発光率を１００％にしてもよい。画面全体について光源の発光率を１００％にすることによって、ＯＳＤ表示の品位を保つことができ、かつ、画面全体の色味を統一することができる。
【００９４】
以上、本発明の好適な実施形態について、具体的に説明したが、各構成及び動作等は適宜変更可能であって、上述の実施の形態に限定されることはない。
【図面の簡単な説明】
【００９５】
【図１】実施形態１に係る液晶表示装置の構成を示すブロック図である。
【図２】バックライトの構成を模式的に示す図である。
【図３】メニュー表示の一例を示す図である。
【図４】番組表表示の一例を示す図である。
【図５】録画リスト表示の一例を示す図である。
【図６】チャンネル登録表示の一例を示す図である。
【図７】（ａ）はチャンネル表示、（ｂ）は音量表示、（ｃ）は通知表示、（ｄ）は画質モード表示の一例を示す図である。
【図８】ＯＳＤ表示に起因して発生するハロー現象を模式的に示す図である。
【図９】ＯＳＤ表示に起因して発生するハロー現象を模式的に示す図である。
【図１０】異なるミックス率における各色のＬＥＤの発光率を示す模式図であり、（ａ）はミックス率が０、（ｂ）はミックス率が１、（ｃ）はミックス率が０．４の場合を示す。
【図１１】ＬＥＤの発光率をミックス率３３％で変更する場合の発光率を示す模式図であり、（ａ）は変更前、（ｂ）は変更後の場合を示す。
【図１２】液晶表示装置において実行される処理を示すフローチャートである。
【図１３】ＬＥＤのミックス率及び経過時間の関係を模式的に示す図である。
【図１４】ＬＥＤの発光率をミックス率１００％で変更する場合の発光率を示す模式図であり、（ａ）は変更前、（ｂ）は変更後の場合を示す。
【図１５】液晶パネルのカラーフィルタの透過特性及びＲＧＢそれぞれのＬＥＤの波長の関係を示す模式図である。
【図１６】発光率が変化することで生じる光漏れを説明するための模式図である。
【符号の説明】
【００９６】
１  制御部（検出手段、制御手段、情報取得手段、発光率取得手段、禁止手段）
２  映像処理部（制御手段、検出手段）
３  エリアアクティブ処理部
４  駆動部（制御手段）
１０  表示パネル部
１１  バックライト（光源）
１１ａ  Ｒ−ＬＥＤ
１１ｂ  Ｇ−ＬＥＤ
１１ｃ  Ｂ−ＬＥＤ
【図１】
2010096857.tif 000003
【図２】
2010096857.tif 000004
【図３】
2010096857.tif 000005
【図４】
2010096857.tif 000006
【図５】
2010096857.tif 000007
【図６】
2010096857.tif 000008
【図７】
2010096857.tif 000009
【図８】
2010096857.tif 000010
【図９】
2010096857.tif 000011
【図１０】
2010096857.tif 000012
【図１１】
2010096857.tif 000013
【図１２】
2010096857.tif 000014
【図１３】
2010096857.tif 000015
【図１４】
2010096857.tif 000016
【図１５】
2010096857.tif 000017
【図１６】
2010096857.tif 000018